(57)【要約】【課題】従来の警備システムでは、入力装置から無線送信された異常検出情報が無線妨害等により制御装置で受信できなくても、それを入力装置が検知することができず不都合であるという問題点があり、本発明は、入力装置からの異常検出を確実に制御装置に伝達することができる警備システムを提供する。【解決手段】入力装置１と制御装置２との間を双方向無線通信で接続し、制御装置２が、入力装置１からの異常検出情報を正常に受信した場合に、送信元の入力装置１に受信応答を送信し、入力装置１が、異常検出情報の送信後、一定時間以内に受信応答を受信しなければ当該異常検出情報を再送する警備システムである。【選択図】        図１
2004318226.tif 000002
【特許請求の範囲】
【請求項１】
センサ部を備え、前記センサ部で異常を検出すると異常検出情報を出力する入力装置と、前記入力装置から前記異常検出情報を受信して警報を出力する制御装置とから成る警備システムであって、
前記入力装置と前記制御装置との間を双方向無線通信で接続可能とし、
前記制御装置が、前記入力装置からの異常検出情報を正常に受信すると、前記情報を受信したことを示す受信応答を前記送信元の入力装置に送信する制御装置であり、
前記入力装置が、前記制御装置に異常検出情報を送信した後、一定時間以内に受信応答を受信しなかった場合に、前記異常検出情報を再度送信する入力装置であることを特徴とする警備システム。
【請求項２】
入力装置が、異常検出情報を再度送信しても制御装置から受信応答を受信しなかった場合に、前記異常検出情報を送信エラーとして記憶しておき、前記制御装置から異常検出情報の問い合わせを受信した場合に、前記送信エラーとして記憶されている異常検出情報を前記制御装置に送信する入力装置であり、
制御装置が、通信障害又は装置故障又は電源切断のいずれかの障害からの復帰を検知した場合又は定期的に、前記入力装置に、前記異常検出情報の問い合わせを送信する制御装置であることを特徴とする請求項１記載の警備システム。
【請求項３】
制御装置が、ユーザからの入力に従って、入力装置に、監視の時間帯を設定または解除する複数の監視モードの内のいずれかを設定するモード設定指示を送信する制御装置であり、
入力装置が、前記モード設定指示を受信すると、前記指示に従って監視モードを内部に設定すると共に、前記設定された監視モードに応じて前記センサ部への電力供給を制御する入力装置であることを特徴とする請求項１又は２記載の警備システム。
【発明の詳細な説明】
【０００１】
【発明の属する技術分野】
本発明は、オフィス、家、建造物等の異常を検知して報知する警備システムに係り、特に無線通信を行うことにより機器の設置を容易にすると共に、異常検出情報を確実に伝達でき、また、消費電力を低減することができる警備システムに関する。
【０００２】
【従来の技術】
近年、不正侵入等の異常を検出して、内部の人に報知したり、警備センタに連絡して警備員を派遣したり警察に通報する警備システムが、家庭やオフィス、店舗、建造物等に広く普及している。
【０００３】
従来の警備システムとしては、通常、センサを備えた複数の入力装置と、入力装置からのセンサ情報を受信して報知音を鳴音する等の報知動作を行う制御装置とから構成されているものがあった。
そして、上記警備システムでは、入力装置でセンサが異常を検出すると、入力装置は、異常検出情報を制御装置に送信して「異常あり」を報知する。入力装置からの異常検出情報は、配線を介して制御装置に送信され、制御装置がこれを受信するとデータを解析して、音や表示の警報を発して室内にいる人に異常を報知すると共に、公衆回線等の通信網を介して外部の警備センタに通報するようになっていた。
【０００４】
このような従来の警備システムにおいては、通常、入力装置と制御装置とは有線の配線で接続されており、入力装置を多数設置するのが困難であるという問題点があった。そこで、別の従来の警備システムとして、入力装置の制御装置との間を無線で接続した「ホームセキュリティ装置」があった（特許文献１）。
【０００５】
こうした無線を用いた警備システムでは、制御装置の価格を抑えるために、入力装置が複数設置されている場合でも、通常、送信周波数を同一にしているため、複数の入力装置が同時に送信した場合には電波の干渉が発生して、制御装置で正常に受信できないことがあり得る。
また、同様に、不正侵入者が無線妨害を行った場合に、正常に受信できないこともあり得る。
【０００６】
【特許文献１】
特開平６−１３９４８３号公報
【０００７】
【発明が解決しようとする課題】
しかしながら、上記従来のホームセキュリティ装置では、入力装置から送信される異常検出情報を制御装置で受信する単方向通信となっており、無線妨害、経路遮断、電波干渉、受信側の制御装置の障害（故障、電源切断、バッテリー切れ等）等の理由により、制御装置で受信できなくてもそれを入力装置側で検知することができず不都合であるという問題点があった。
【０００８】
また、従来のホームセキュリティシステムでは、「警戒／解除」の監視モードの設定を各入力装置で行うようになっており、多くの入力装置でその都度設定を行うのは操作が煩雑であるという問題点があった。
【０００９】
また、別の従来の警備システムでは、制御装置で「警戒／解除」の設定を行うものもあるが、「解除」の場合には制御装置における報知動作を行わないようにしているものであって、入力装置は常時オンにしているため、無駄な消費電力が多いという問題点があった。
【００１０】
本発明は上記実情に鑑みて為されたもので、入力装置と制御装置とを無線による双方向通信可能とし、入力装置からの異常検出を確実に制御装置に伝達すると共に、消費電力の低減を図ることができる警備システムを提供することを目的とする。
【００１１】
【課題を解決するための手段】
上記従来例の問題点を解決するための本発明は、センサ部を備え、センサ部で異常を検出すると異常検出情報を出力する入力装置と、入力装置から異常検出情報を受信して警報を出力する制御装置とから成る警備システムであって、入力装置と制御装置との間を双方向無線通信で接続可能とし、制御装置が、入力装置からの異常検出情報を正常に受信すると、当該情報を受信したことを示す受信応答を送信元の入力装置に送信する制御装置であり、入力装置が、制御装置に異常検出情報を送信した後、一定時間以内に受信応答を受信しなかった場合に、異常検出情報を再度送信する入力装置である警備システムとしており、通信障害等により入力装置からの異常検出情報が制御装置に正常に伝達されなかった場合でも、再送することにより、正常に伝達できる可能性を向上させることができる。
【００１２】
また、本発明は、上記警備システムにおいて、入力装置が、異常検出情報を再度送信しても制御装置から受信応答を受信しなかった場合に、異常検出情報を送信エラーとして記憶しておき、制御装置から異常検出情報の問い合わせを受信した場合に、送信エラーとして記憶されている異常検出情報を制御装置に送信する入力装置であり、制御装置が、通信障害又は装置故障又は電源切断のいずれかの障害からの復帰を検知した場合又は定期的に、入力装置に、異常検出情報の問い合わせを送信する制御装置である警備システムとしており、制御装置側で何らかの障害からの復帰を検知した場合や、定期的に、制御装置から異常検出情報の問い合わせを送信して、正常に受信できなかった異常検出情報を入力装置に再度送信させることができ、異常検出情報を制御装置に確実に伝達することができる。
【００１３】
また、本発明は、上記警備システムにおいて、制御装置が、ユーザからの入力に従って、入力装置に、監視の時間帯を設定または解除する複数の監視モードの内のいずれかを設定するモード設定指示を送信する制御装置であり、入力装置が、モード設定指示を受信すると、指示に従って監視モードを内部に設定すると共に、設定された監視モードに応じてセンサ部への電力供給を制御する入力装置である警備システムとしており、監視が必要な時のみセンサ部の電源をオンにして監視を行って、監視が不要の場合にはセンサ部の電源をオフにすることができ、ユーザの設定に応じて制御装置における警報出力のみをオン／オフするのに比べて、消費電力を大幅に低減することができる。
【００１４】
【発明の実施の形態】
本発明の実施の形態について図面を参照しながら説明する。
本発明に係る警備システムは、入力装置と制御装置とを双方向の無線回線で接続し、制御装置が、入力装置からの異常検出情報を受信した場合に、当該入力装置宛に受信応答を送信し、入力装置が、送信する異常検出情報を保持しておき、異常検出情報を送信した場合に、一定時間内に制御装置からの受信応答を受信しない場合には、保持していた異常検出情報を再度送信するようにしており、無線妨害や電波干渉等の障害によって異常検出情報が制御装置で正常に受信されなかった場合でも、再送によって異常検出情報が正常に伝達される可能性を向上させることができるものである。
【００１５】
また、本発明に係る警備システムは、入力装置が、再送時にも受信応答を受信しなかった異常検出情報について送信結果として「送信エラー」を記憶しておき、障害復旧後又は定期的に、制御装置からの異常検出情報問い合わせがあった場合に、送信エラーが記憶されている異常検出情報を制御装置に送信するものであり、異常検出を確実に伝達することができるものである。
【００１６】
また、本発明に係る警備システムは、制御装置が、無線により各入力装置の監視モードを、例えば「外出／夜間／解除」のいずれかに設定し、更に各入力装置の監視モードを表示可能としており、制御装置から一括して多くの入力装置の監視モードを設定して管理できるものである。
【００１７】
また、本発明に係る警備システムは、入力装置が、「外出」の状態が設定されている場合にはセンサ部への電力供給を行い、「解除」の状態が設定されている場合にはセンサ部への電力供給を停止し、「夜間」に設定されている場合には夜間のみセンサ部への電力供給を行うものであり、監視の必要がない場合にはセンサ部への電力供給を停止して、消費電力を低減することができるものである。
【００１８】
まず、本発明の実施の形態に係る警備システムの構成について図１を用いて説明する。図１は、本発明の実施の形態に係る警備システムの概略構成ブロック図である。
本実施の形態の警備システムは、基本的な構成は従来とほぼ同様であり、図１に示すように、センサにより異常を検知し、異常検出情報を送信する入力装置１と、入力装置１からの異常検出情報を受信して、異常を報知する報知動作を行う制御装置２と、制御装置２と公衆回線や専用回線によって接続された警備センタ３とから構成されている。尚、図１では入力装置１は１台しか示していないが、実際には必要に応じて複数設置されているものである。
【００１９】
また、警備センタ３は、従来の警備センタ３と同様のものであり、制御装置２の通信部２７からの通報を受けて、その場所に警備員を派遣したり、警察や消防に通報したりするものである。
【００２０】
まず、入力装置１の各構成部分について具体的に説明する。
入力装置１は、センサ部１１と、制御部１２と、給電部１３と、無線部１４と、記憶部１５とから構成されている。尚、入力装置１には、従来と同様に、夜間であることを検出するために時計や光センサ（夜間検出センサ）が設けられているが、ここでは図示を省略する。
【００２１】
センサ部１１は、従来と同様に、不正侵入等の異常を検出するための信号（接点情報、伝達、電流、パルス信号等）を出力するものである。
無線部１４は、制御装置２との無線通信を行うものであり、本システムの特徴として、無線送信機と無線受信機及び変復調部とを備えており、制御装置２と無線双方向通信を行うものである。
【００２２】
また、本システムの特徴として、給電部１３は、制御部１２からの指示に従って、センサ部１１への電力供給のオン／オフを切り替えるものである。
記憶部１５は、自己の識別情報（ＩＤ）や異常発生日時や送信日時及び異常検出情報の送信結果を記憶するものである。
【００２３】
そして、制御部１２は、入力装置１全体の制御を行うものであり、従来と同様に、センサ部１１から入力された電気信号に基づいて異常を検出し、更に、異常を検出した場合には、制御部１２内で管理している現在日時に基づいて異常発生日時を記憶部１５に記憶すると共に、異常発生日時に自己のＩＤを付した異常検出情報を、無線部１４を介して制御装置２に送信するものである。
【００２４】
また、本システムの入力装置１の制御部１２の特徴として、異常検出情報を制御装置２に送信した際に、制御装置２からの「受信応答」があれば、当該異常検出情報は正常に受信されたものとして、記憶部１５に異常検出情報に対応して、「送信日時」を記憶すると共に、「送信結果」として「成功」を記憶し、制御装置２からの「受信応答」がない場合には当該異常検出情報を再送する処理を行うものである。
尚、制御部１２は、再送しても受信応答がない場合には、当該異常検出情報に対応する「送信日時」を記憶すると共に「送信結果」として「送信エラー」を記憶するものである。
【００２５】
更に、本システムの特徴として、制御装置２からの異常検出情報の問い合わせがあった場合には、制御部１２は、記憶部１５に記憶されている異常検出情報の内、送信結果に「送信エラー」が記憶されている情報を送信するものである。制御装置２からの問い合わせについては後で詳細に説明する。
【００２６】
更にまた、制御部１２は、制御装置２からの指示によって、センサを作動させて監視を行う「外出」、又はセンサを停止して監視を行わない「解除」、又は夜間のみセンサ部１１を作動させて監視を行う「夜間」、のいずれかのモードが監視モードとして制御部１２の内部に設定されているものである（図示せず）。
【００２７】
そして、本システムの特徴として、制御部１２は、監視モードが「外出」に設定されている場合には、給電部１３に対してセンサ部１１への電力供給をオンの状態にし、監視モードが「解除」に設定されている場合には、給電部１３に対してセンサ部１１への電力供給をオフの状態にし、監視モードが「夜間」に設定されている場合には、夜間検出センサからの入力に従って夜間のみ給電部１３に対してセンサ部１１への電力供給をオンの状態にする制御を行うものである。
【００２８】
これにより、本システムでは、各入力装置１の監視モードの設定を制御装置２から一括して制御することができ、また、入力装置１に設定されている監視モードに応じてセンサ部１１への電力供給をオン／オフするようにしているので、センサをオンにしたまま制御装置での警報出力動作をオン／オフするのに比べて、消費電力を大幅に低減することができるものである。
【００２９】
ここで、入力装置１の記憶部１５に記憶されている情報について図２を用いて説明する。図２は、入力装置１の記憶部１５に記憶されている情報を示す説明図である。
図２に示すように、記憶部１５には、制御部１２が異常を検出した日時である「異常発生日時」と、それに対応する「送信日時」及び「送信結果」とが記憶されている。特に、「送信結果」は、当該異常発生日時を含む異常検出情報の制御装置２への送信が完了したか否かを示すものであり、入力装置１から送信された異常検出情報に対応しているものである。
【００３０】
具体的に説明すると、各異常検出情報に対応する「送信日時」として記憶されるデータは、制御装置２で正常に受信されたことを示す受信応答を入力装置１で受信した時刻を示す「送信日時」か、又は、再送しても受信応答を受信できずにタイムアウトした時刻を示す「送信日時」のいずれかのデータが記憶されるものである。また、各異常検出情報に対応して、送信成功／失敗を示す「送信結果」が記憶されるものである。
【００３１】
図２の例では、「２００２．１１．ｘｘ  ２３：４５」の異常発生日時を含む異常検出情報は、正常に制御装置２に受信されて受信応答を受信したことを示しており、また、「２００２．１２．ｘｘ  ３：２０」の異常検出情報は、最初の送信時に受信応答を受信できず、再度送信したが、再送時にも受信応答を受信できずに、「２００２．１２．ｘｘ  ３：３０」にタイムアップして送信エラーとなったことを示している。
尚、「送信エラー」に対応する異常発生日時を含む異常検出情報が、請求項に記載した「送信エラーとして記憶されている異常検出情報」に相当するものである。
【００３２】
また、制御装置２から受信応答を受信した異常検出情報を、図２に示したテーブルから削除して、制御装置２に正常に受信された異常検出情報については保持しないようにすることも可能である。
【００３３】
次に、本システムの制御装置２について図１を用いて説明する。
図１に示すように、制御装置２は、無線部２１と、制御部２２と、操作部２３と、スピーカ２４と、表示部２５と、記憶部２６と、通信部２７とから構成されている。
【００３４】
各構成部分について具体的に説明すると、無線部２１は、複数の入力装置１と双方向無線通信を行うものである。尚、装置コストを低く抑えるために複数の入力装置１との無線通信を同一の周波数で行うようにしてもよい。
【００３５】
また、操作部２３は、ユーザが「外出／夜間／解除」のいずれかの監視モードの設定や入力装置の状態表示や通報の指示等を入力するものである。
スピーカ２４は異常時に警告音等を出力するものである。表示部２５は、ＬＥＤや液晶画面等から成り、異常報知時にＬＥＤを点滅させたり、入力装置１の設定状態及び異常検出状態を表示するものである。
【００３６】
記憶部２６は、制御部２２における処理プログラムや、制御装置１の配下にある各入力装置１に設定されている監視モードを記憶するものである。
また、通信部２７は、公衆回線や専用回線を介して警備センタ３に接続して異常を通報するものであり、警備センタ３の警備員と通話可能な送受話器を備えてることも可能である。
【００３７】
制御装置２の制御部２２は、従来と同様に、入力装置１から異常検出情報を受信した場合に警報、音、光、振動出力等の報知動作を行って、必要に応じて警備センタ３へ通報する処理を行うものであり、また、本システムの特徴として、入力装置１から異常検出情報を正常に受信した場合に、送信元の入力装置１に「受信応答」を送信するものである。
【００３８】
これにより、本システムでは、入力装置１で異常を検出した場合に、その異常検出情報が確実に制御装置２に受信されか否かを入力装置１側で確認でき、受信されなかった場合には異常検出情報の再送を行って、異常検出情報が制御装置２に正常に伝達される可能性を向上させるものである。
【００３９】
また、本システムの特徴として、制御装置２の制御部２２は、操作部２３からの状態設定の指示に従って、各入力装置１に「外出／夜間／解除」のいずれかの監視モードを設定する指示を無線部２１を介して送信するものである。例えば、制御装置２の操作部２３から、「外出」のモード設定が為された場合、予め設定された一定時間後に、各入力装置１に対して「外出」のモード設定指示を送信して、ユーザが「外出」の操作をしてから一定時間後に入力装置１のセンサを動作させるものである。この一定時間はユーザが任意に変更することができ、モード設定がなされると即時にモード設定指示を送信することも可能である。
【００４０】
また、本システムの特徴として、制御装置２の制御部２２は、通信障害等の障害復旧を検知した後に、各入力装置１に異常検出情報の問い合わせを行うものである。これにより、制御装置２で受信できなかった異常検出情報があるかもしれない場合に、入力装置１に問い合わせることで、入力装置１で「送信エラー」が記憶されている異常検出情報を受信して、警備センタ３に通報することができるようになっている。
【００４１】
次に、本システムの動作について図３を用いて説明する。図３は、本システムの入力装置１の制御部１２における処理を示すフローチャート図である。
本システムの入力装置１では、センサ部１１から、異常を検出するためのセンサ情報（接点情報、電圧、電流、パルス等）が制御部１２に出力される。センサ部１１は、図３に示すように、入力されたセンサ情報を予め記憶している正常値（または正常範囲）と比較して、異常の有無を判断する（異常検出）（１００）。
【００４２】
処理１００で異常を検出すると、制御部１２は、内部で管理している現在日時を読み取って、異常発生日時として記憶部１５に記憶する（１０２）。そして、制御部１２は、自己のＩＤと異常発生日時とを含む異常検出情報に対する再送回数を初期化して（１０３）、当該異常検出情報を無線部１４を介して制御装置２に送信する（１０４）。
【００４３】
そして、制御部１２は、異常検出情報送信後、一定時間内に制御装置２からの受信応答を受信したかどうかを判断し、受信応答があれば、送信完了した異常検出情報を保持する設定が為されているかどうかを判断し（１２０）、保持する場合には、受信応答の受信時刻を記憶部１５の当該異常発生時刻に対応する「送信日時」に記憶すると共に、送信「成功」を送信結果に記憶する（１２４）。
【００４４】
また、処理１２０で、送信完了した異常検出情報を保持しないと判断した場合には、制御部１２は、当該異常検出情報及び対応する情報を記憶部１５から削除する（１２６）。
【００４５】
また、処理１０６で受信応答を受信しなければ、制御部１２は、予め設定された一定時間（ランダムな待ち時間）受信応答を待ち受け（１０９）、タイムアップすると、再送回数が上限に達したかどうかを判断し（１１０）、上限に達していなければ、処理１０６に移行して当該異常検出情報を再送する（１０６）。
【００４６】
処理１１０で、再送回数が上限に到達した場合には、制御部１２は、当該異常検出情報は制御部２に正常に受信されなかったものとして、記憶部１５の当該異常検出情報に対応する送信日時に、タイムアップした日時を記憶すると共に、送信結果に「送信エラー」を記憶する。このようにして入力装置１における異常監視の処理が行われるものである。
【００４７】
次に、制御装置２から異常検出情報の問い合わせがあった場合の入力装置１の動作について図４を用いて説明する。図４は、異常検出情報の問い合わせがあった場合の入力装置１の制御部１２の処理を示すフローチャート図である。
図４に示すように、入力装置１の制御部１２は、制御装置２から異常検出情報の問い合わせがあるかどうかを監視し（２００）、問い合わせを受信した場合には、記憶部１５を参照して、「送信結果」として「送信エラー」が記憶されている異常発生日時を読み取る（２１０）。
【００４８】
そして、制御部１２は、読み取った異常発生日時にＩＤを付して異常検出情報として、無線部１４を介して制御装置２に送信する（２２０）。「送信エラー」となっているデータがない場合にはその旨送信する。尚、この場合にも、制御装置２が問い合わせに対する異常検出情報を受信したら受信応答を送信し、入力装置１が受信応答を受信しない場合には、当該異常検出情報を再送するようにしても構わない。
このようにして、制御装置２からの異常検出情報の問い合わせがあった場合の動作が行われるものである。
【００４９】
次に、入力装置１の電源制御について図５を用いて説明する。図５は、センサ部１１に対する電力供給の制御に関する制御部１２の処理を示すフローチャート図である。
図５に示すように、入力装置１の制御部１２は、制御装置２から状態設定の指示を受信したかどうかを監視し（３００）、監視モード設定の指示を受信した場合には、指示に従って内部にモードデータを更新し（３０２）、設定されたモード（監視モード）が「外出」か「解除」か「夜間」かを判断する（３１０）。
【００５０】
そして、設定された状態が「外出」であれば、制御部１２は、給電部１３に対して、センサ部１１への電力供給をオンの状態にするよう指示を出力する（３２２）。また、設定されたモードが「解除」でれば、制御部１２は、給電部１３に対して、センサ部１１への電力供給をオフの状態にするよう指示を出力する（３１４）。
【００５１】
また、設定された状態が「夜間」であれば、制御部１２は、現在時刻を保持する時計又は夜間検出センサからの入力に応じて、夜間かどうかを判断し（３２０）、夜間であれば、処理３２２に移行してセンサ部１１へ電力を供給し、夜間でなければ、処理３２４に移行してセンサ部１１への電力供給をオフにする。これにより、設定された状態が「夜間」であれば、夜間のみセンサ部１１への電力供給を行うようになっている。このようにして、入力装置１におけるセンサ部１１への電力制御が行われるものである。
【００５２】
次に、監視モードが「昼夜警戒」「昼間警戒」「夜間警戒」「警戒解除」「一時解除」の５種類ある場合の電源制御について図６を用いて説明する。図６は、監視モードが５種類の場合の入力装置１における電力供給の制御を示すフローチャート図である。
【００５３】
まず、各監視モードについて簡単に説明すると、「昼夜警戒」は、留守にするときなど、昼夜を問わず監視するモードであり、「昼間警戒」は、毎日、日中だけ監視するモードであり、「夜間警戒」は、毎日、夜間だけ監視するモードであり、「警戒解除」は、監視を行わないモードであり、「一時解除」は、昼夜を問わず監視中に、一時的に監視を解除するものである。
【００５４】
図６に示すように、制御部１２は、モード設定指示を受信したかどうかをチェックし（４００）、受信すると、保持しているモードを更新し（４０２）、保持している監視モードが何であるかを判断する（４０４）。このとき、処理４０２で、「一時解除」が設定された場合には、それまでに設定されていた監視モードを保持しておき、予め決められた解除時間を経過した後で再び当該監視モードを設定するようになっている。
また、処理４００で、モード設定指示を受信しない場合には、制御部１２は、処理４０４に移行して監視モードを判断する。
【００５５】
そして、保持しているモードが「昼夜警戒」であれば、制御部１２はセンサ部１１への電力供給をオンの状態にする（４２０）。
また、保持しているモードが「昼間警戒」又は「夜間警戒」であれば、制御部１２は、現在時刻が警戒時刻と一致するかどうかを判断し（４１０）、一致した場合にセンサ部１１への電力供給をオンの状態にし（４２０）、処理４１０で、現在時刻が警戒時刻と一致しなければ、センサ部１１への電力供給をオフの状態にする（４２２）。
【００５６】
また、処理４０４で、保持しているモードが「警戒解除」であれば、制御部１２はセンサ部１１への電力供給をオフの状態にする（４２２）。
また、保持しているモードが「一時解除」の場合には、制御部１２は、センサ部１１への電力供給をオフにした後、予め設定されている解除時間を経過したかどうかを判断する（４１２）。解除時間を経過しなければ、制御部１２は処理４２２に移行して、センサ部１１への電力供給をオフの状態に保つ（４２２）。
【００５７】
また、解除時間を経過した場合には、制御部１２は、処理４０２で保持しておいた一つ前の監視モードを設定し、処理４２０に移行してセンサ部１１への電力供給をオンにする（４２０）。
このように、監視モードが５種類ある場合でも、設定されている監視モードに対応する監視時間と、現在時刻とを比較して、監視時間帯のみセンサ部１１へ電力を供給するように、入力装置１におけるセンサ部１１への電力供給の制御が行われるものである。
【００５８】
本発明の実施の形態に係る警備システムによれば、入力装置１と制御装置２との間を双方向無線通信で接続し、制御装置２が、入力装置１からの異常検出情報を正常に受信した場合に、送信元の入力装置１に受信応答を送信し、入力装置１が、異常検出情報の送信後、一定時間以内に受信応答を受信しなければ当該異常検出情報を再送するようにしているので、無線妨害や電波干渉等の障害が排除されて異常検出情報が制御装置２に正常に伝達される可能性を向上させることができる効果がある。
【００５９】
また、本システムによれば、入力装置１が、制御装置２に異常検出情報を再送しても受信応答を受信しなかった場合には、記憶部１５に、当該異常検出情報に含まれる異常発生日時に対応して送信結果として「送信エラー」を記憶しておき、制御装置２から異常検出情報の問い合わせを受信した場合に、送信エラーが記憶されている異常発生日時を読み出して、ＩＤと当該異常発生日時とを含む異常検出情報を制御装置２に送信するようにしているので、制御装置２からの問い合わせで、正常に伝達されなかった異常検出情報を制御装置２に送信することができ、異常検出情報を確実に伝達することができる効果がある。
【００６０】
また、本システムによれば、制御装置２が、入力装置１との間の通信障害や自己の故障等からの障害復旧を検知した場合に、全ての入力装置１に対して異常検出情報の問い合わせを送信するようにしているので、入力装置１では、上述したように正常に伝達できなかった異常検出情報があればそれを制御装置２に送信することができ、異常検出情報を確実に伝達することができる効果がある。
【００６１】
更に、本システムでは、制御装置２が、操作部２３からの入力に従って、全ての入力装置１に対して「外出／夜間／解除」のいずれかの監視モードを設定する状態設定指示を送信し、入力装置１の制御部１２が、制御装置２からの指示に従って内部に「外出／夜間／解除」のいずれかの監視モードを設定するようにしているので、制御装置２からの一括操作で複数の入力装置１の監視モードを制御することができ、監視モードの切り替えを容易にすることができる効果がある。
【００６２】
また、本システムでは、入力装置１の制御部が、設定された監視モードが「外出」であれば、センサ部１１への電力供給をオンの状態にし、監視モードが「解除」であればセンサ部１１への電力供給をオフの状態にし、監視モードが「夜間」であれば夜間検出センサからの信号に従って、夜間のみセンサ部１１への電力供給をオンの状態にするようにしているので、監視の必要の無いときに、センサ部１１への電力供給を停止することができ、センサ部を常に動作させておき設定に応じて制御装置への送信のみをオン／オフするのに比べて消費電力を大幅に低減することができる効果がある。
【００６３】
また、本システムでは、監視モードが３種類に限らず複数種類ある場合でも、設定されている監視モードに対応して規定されている監視時間と、現在時刻とを比較して、監視時間帯であればセンサ部１１への電力供給をオンにして、監視解除の時間帯であればセンサ部１１への電力供給をオフにするようにしているので、センサ部を常に動作させておき設定に応じて制御装置への送信のみをオン／オフするのに比べて消費電力を大幅に低減することができる効果がある。
【００６４】
また、上述した例では、入力装置１において異常を検出した場合に、入力装置１から制御装置２に異常検出情報を送信するようにしているが、別の方法として、入力装置１では、異常を検出した場合にはその異常発生時刻のみを記憶するようにしておき、定期的（例えば１５秒毎）に制御装置２から入力装置１に対して異常検出情報の問い合わせ（ポーリング）を行い、入力装置１が、ポーリングを受信すると、記憶している異常発生時刻又は未送信の異常発生時刻を送信するようにしてもよい。
【００６５】
このように、制御装置２からのポーリングに応じて、入力装置１が記憶している異常検出情報を送信するようにすれば、複数の入力装置１から同時に異常検出情報が送信されるのを防ぐことができ、無線信号の干渉による通信障害を防ぐことができる効果がある。
【００６６】
更に、この場合、制御装置２からのポーリングに対して、入力装置１から一定時間（例えば５秒間）以内に応答がなければ、制御装置２では、当該入力装置１に何らかの異常や障害が発生したと判断して、それを報知する音や光、又は表示等を行って、ユーザに異常を知らせ、システムの迅速な復旧を図ることができる効果がある。
【００６７】
更にまた、異常検出情報は入力装置１からの自発的な送信とし、制御装置２からは入力装置１の動作状態を監視するポーリングを行うようにしてもよい。この場合には、制御装置２において、異常検出情報を受信した場合と、ポーリングに対する応答が得られなかった場合とを識別できるよう、異なる報知態様とすることが望ましい。例えば、報知音や警報のパターンを変えるといったことが考えられる。
【００６８】
このように、異なる異常報知態様とすることにより、ユーザは、入力装置１で異常が検出されたのか、入力装置１の障害かを容易に把握することができ、それに応じて迅速な対応を行うことができる効果がある。
【００６９】
また、入力装置１に警報出力部を設け、異常検出情報を制御装置２に伝達できない（送信エラーとなった）場合に、そのことを報知する音や光、又は表示等を入力装置１が出力することも可能であり、これにより、ユーザに異常を知らせてシステムの迅速な復旧を図ることができる効果がある。
【００７０】
【発明の効果】
本発明によれば、入力装置と制御装置との間を双方向無線通信で接続可能とし、制御装置が、入力装置からの異常検出情報を正常に受信すると、当該情報を受信したことを示す受信応答を送信元の入力装置に送信する制御装置であり、入力装置が、制御装置に異常検出情報を送信した後、一定時間以内に受信応答を受信しなかった場合に、異常検出情報を再度送信する入力装置である警備システムとしているので、通信障害等により入力装置からの異常検出情報が制御装置に正常に伝達されなかった場合でも、再送することにより、正常に伝達できる可能性を向上させることができる効果がある。
【００７１】
また、本発明によれば、上記警備システムにおいて、入力装置が、異常検出情報を再度送信しても制御装置から受信応答を受信しなかった場合に、異常検出情報を送信エラーとして記憶しておき、制御装置から異常検出情報の問い合わせを受信した場合に、送信エラーとして記憶されている異常検出情報を制御装置に送信する入力装置であり、制御装置が、通信障害又は装置故障又は電源切断のいずれかの障害からの復帰を検知した場合又は定期的に、入力装置に、異常検出情報の問い合わせを送信する制御装置である警備システムとしているので、制御装置側で何らかの障害からの復帰を検知した場合や、定期的に、制御装置から異常検出情報の問い合わせを送信して、正常に受信できなかった異常検出情報を入力装置に再度送信させることができ、異常検出情報を制御装置に確実に伝達することができる効果がある。
【００７２】
また、本発明によれば、上記警備システムにおいて、制御装置が、ユーザからの入力に従って、入力装置に、監視の時間帯を設定または解除する複数の監視モードの内のいずれかを設定するモード設定指示を送信し、入力装置が、モード設定指示を受信すると、当該指示に従っていずれかの監視モードを内部に設定すると共に、設定された監視モードに応じてセンサ部への電力供給を制御する警備システムとしているので、監視が必要な時のみセンサ部の電源をオンにして監視を行って、監視が不要の場合にはセンサ部の電源をオフにすることができ、ユーザの設定に応じて制御装置における警報出力のみをオン／オフするのに比べて、消費電力を大幅に低減することができる効果がある。
【図面の簡単な説明】
【図１】本発明の実施の形態に係る警備システムの概略構成ブロック図である。
【図２】入力装置１の記憶部１５に記憶されている情報を示す説明図である。
【図３】本システムの入力装置１の制御部１２における処理を示すフローチャート図である。
【図４】異常検出情報の問い合わせがあった場合の入力装置１の制御部１２の処理を示すフローチャート図である。
【図５】センサ部１１に対する電力供給の制御に関する制御部１２の処理を示すフローチャート図である。
【図６】監視モードが５種類の場合の入力装置１における電力供給の制御を示すフローチャート図である。
【符号の説明】
１…入力装置、  ２…制御装置、  ３…警備センタ、  １１…センサ部、  １２…制御部、  １３…給電部、  １４…無線部、  １５…記憶部、  ２１…無線部、  ２２…制御部、  ２３…操作部、  ２４…スピーカ、  ２５…表示部、  ２６…記憶部、  ２７…通信部
【図１】
2004318226.tif 000003
【図２】
2004318226.tif 000004
【図３】
2004318226.tif 000005
【図４】
2004318226.tif 000006
【図５】
2004318226.tif 000007
【図６】
2004318226.tif 000008